(57)【要約】【課題】ダウンライト本体を天井に強固に装着し、短時間には取り外すことはできないが、保守点検に際しては容易に取り外しが可能なかご内照明装置を提供すること。【解決手段】本体下部に天井１６の開口部１７より大きな径を有するフランジ１２を備え、前記本体両側部に板ばね１９を備え、かつ、本体内部に照明器具が収納されたダウンライト本体１８と、このダウンライト本体１８を差し込む空隙１４が形成されるとともに、その上面部に前記本体が挿入される貫通孔１５が形成され、前記天井１６の開口部１７において天井１２内に固定される台形状のブラケット１３とを備えている。【選択図】図１
2011068430.tif 000002
【特許請求の範囲】
【請求項１】
本体下部に天井の開口部より大きな径を有するフランジを、また、前記本体両側部に板ばねを備え、かつ、前記本体内部に照明器具が収納されたダウンライトと、このダウンライト本体を差し込む空隙が形成されるとともに、その上面部に前記本体が挿入される貫通孔が形成され、前記天井の開口部において天井内に固定される台形状のブラケットとを備えたことを特徴とするかご内照明装置。
【請求項２】
前記空隙の径は、前記開口部より小さいことを特徴とする請求項１記載のかご内照明装置。
【請求項３】
前記ブラケットは、接着剤により前記天井に固定設置されることを特徴とする請求項２記載のかご内照明装置。
【請求項４】
前記ブラケットは、前記ダウンライト本体を、前記板ばねを介して挟持するとともに下端が水平に曲折された一対の側板と、これらの側板をそれらの上端において相互に連結し、前記本体が挿入される挿入孔が形成された上板からなり、このブラケットの前記一対の側板には、前記ブラケット本体の板ばねが嵌合する嵌合穴を設けたことを特徴とする請求項１記載のかご内照明装置。
【請求項５】
前記ブラケットの側板に、前記嵌合穴を複数個設けたことを特徴とする請求項４記載のかご内照明装置。
【請求項６】
前記複数個の嵌合穴は、下方に行くに従い横方向に大きくしたことを特徴とする請求項５記載のかご内照明装置。
【請求項７】
前記ブラケットは、前記ダウンライト本体を、前記板ばねを介して挟持するとともに下端が水平に曲折された一対の側板と、これらの側板をそれらの上端において相互に連結し、前記本体が挿入される挿入孔が形成された上板からなり、このブラケットの前記一対の側板には、前記ブラケット本体の板ばねが係合する係合突起を設けたことを特徴とする請求項１記載のかご内照明装置。
【請求項８】
前記ブラケットを形成する一対の側板の内面に、前記係合突起を複数個設けたことを特徴とする請求項７記載のかご内照明装置。
【請求項９】
前記複数個の突起の高さを、下方に行くに従い高くしたことを特徴とする請求項８記載のかご内照明装置。
【請求項１０】
前記突起は、エンボス加工で形成されたことを特徴とする請求項７記載のかご内照明装置。
【発明の詳細な説明】
【技術分野】
【０００１】
本発明は、かご内に人や物などを乗せて運ぶ移動体、例えば、エレべータに係り、特に、エレベータのかご内に設置されるかご内照明装置に関する。
【背景技術】
【０００２】
従来のかご内照明装置を、図１２乃至図１４について説明する。
【０００３】
図１２は、従来の一般的なエレベータかご内の概略構成を示した説明図で、かご１は、天井２、側板３、床４、リターンパネル５、ドア６、および、幕板７などから構成されている。
【０００４】
そして、ドア６の一側壁面には、かご内操作盤８が設置され、また、天井２にはダウンライト（不図示）の差込穴９が複数個空けられている。
【０００５】
図１３は、ダウンライト（不図示）の本体を示した斜視図で、この本体１０は円筒形に成形されていて、その左右両側面には板ばね１１が取り付けられている。円筒形の本体内には、図示しないが、例えば、ＬＥＤ発光素子のような照明器具が収納されている。すなわち、この照明器具は、絶縁基板の下面に複数個のＬＥＤ発光素子が固定され、それぞれの発光素子からの光は、白色樹脂円盤に形成された複数個のすり鉢状の導光穴に導かれて、円筒形の本体１０の下面から導出されるように構成されている。また、上記絶縁基板の上面には、ＬＥＤ素子用の電源回路が配置され、円筒形の本体１０の下面は、透明のアクリル板で覆われている。
【０００６】
円筒形の本体１０の下部には本体１０の径より大きい径を有するフランジ１２が成形されており、本体１０を天井２の差込穴９（図１２）に差し込んだ時、フランジ１２が差込穴９を覆い、これを貫通しない構成になっている。
【０００７】
図１４は、ダウンライト（不図示）の本体が天井に取り付けられた状態を、側面から見た説明図で、天井２に空けられた差込穴９に、本体１０が差し込まれて固定されている。すなわち、本体１０の板ばね１１が天井２に空けられた差込穴９の側面を押圧することによって、本体１０には天井２の上方に押し上げる力が作用し、これによって天井２固定されている。
【発明の概要】
【発明が解決しようとする課題】
【０００８】
上記のような構造のダウンライトは、本体左右両側の一対の板ばね１１により、固定するため、ダウンライトが固定される天井２の板厚が十分に大きい場合には、差込穴９の深さも十分に深くなるため、強固に固定することができる。
【０００９】
ところが、一般に、エレベータの天井２は鋼板で出来ているため、その板厚は薄く、したがって差込穴９の深さも十分でないため、ダウンライトは天井２に強固に固定されないという問題がある。その一方、上記したように、ばね１１が天井２の上側面上に出ていると、本体１０を天井２の差込穴９から取り外すとき、ばね１１が天井２の上側面上に引っ掛かり、外すことが困難であるという問題点もあった。
【００１０】
他方、一般に、エレベータのかご内は密室になることが多く、このような場合、乗客がいたずらにより或いは故意にダウンライトを取り外し持ち去る事件がしばしば発生している。かかる観点からは、ダウンライトは天井２の差込穴９から余り容易に取り外すことができないことが望ましい。                        
そこで、本発明の目的は、ダウンライトの本体を強固に固定するとともに、天井から余り容易に、あるいは、短時間に取り外すことができない構造のかご内照明装置を提供することにある。
【課題を解決するための手段】
【００１１】
本発明のかご内照明装置は、本体下部に天井の開口部より大きな径を有するフランジを備え、前記本体両側部に板ばねを備え、かつ、本体内部に照明器具が収納されたダウンライトと、このダウンライト本体を差し込む空隙が形成されるとともに、その上面部に前記本体が挿入される貫通孔が形成され、前記天井の開口部において天井内に固定される台形状のブラケットとを備えたことを特徴とするものである。
【００１２】
また、本発明のかご内照明装置においては、前記空隙の径は、前記開口部より小さく開けられていることを特徴とするものである。
【００１３】
さらに、本発明のかご内照明装置においては、前記ブラケットは、接着剤により前記天井に固定設置されることを特徴とするものである。
【００１４】
さらに、本発明のかご内照明装置においては、前記ブラケットは、前記ダウンライト本体を、前記板ばねを介して挟持するとともに下端が水平に曲折された一対の側板と、これらの側板をそれらの上端において相互に連結し、前記本体が挿入される挿入孔が形成された上板からなり、このブラケットの前記一対の側板には、前記ブラケット本体の板ばねが嵌合する嵌合穴を設けたことを特徴とするものである。
【００１５】
さらに、本発明のかご内照明装置においては、前記ブラケットの側板に、前記嵌合穴を複数個設けたことを特徴とするものである。
【００１６】
さらに、本発明のかご内照明装置においては、前記複数個の嵌合穴を、下方に行くに従い横方向に大きくしたことを特徴とするものである。
【００１７】
さらに、本発明のかご内照明装置においては、前記ブラケットを形成する一対の側板の内面に、前記ダウンライト本体に設けられた板ばねと係合させる突起を設けたことを特徴とするものである。
【００１８】
さらに、本発明のかご内照明装置においては、前記ブラケットを形成する一対の側板の内面に、前記突起を複数個設けたことを特徴とするものである。
【００１９】
さらに、本発明のかご内照明装置においては、前記複数個の突起の高さを、下方に行くに従い高くしたことを特徴とするものである。
【００２０】
さらに、本発明のかご内照明装置においては、前記突起は、エンボス加工で形成されたことを特徴とするものである。
【発明の効果】
【００２１】
本発明によれば、ダウンライト本体を装着するブラケットを天井内に設置することによって、ダウンライト本体に取り付けられた板ばねが、ブラケットの側板によって挟持されるため、ダウンライト本体を強固に天井の開口部に固定することができる。また、ダウンライト本体の取り外しに際しては、ダウンライト本体に取り付けられた板ばねがブラケットの側板によって案内されるため、天井の開口部に引っ掛かることがなく容易に取り外すことができ、保守点検などの作業効率が向上する。
【００２２】
また、本発明によれば、ブラケットの側面に本体のばねと嵌合する穴あるいは係合する突起を設け、さらには、穴あるいは突起を複数個設けることによって、本体がブラケットから容易には外れない程度に固定されるため、乗客のいたずらで本体が容易に外されるのを防ぐことができる。
【００２３】
さらに、本発明によれば、前記穴の大きさや突起の高さを、下方に行くに従い大きくし、あるいは高くしているので、乗客がダウンライト本体を開口部に対して回転しつつ抜き取ろうとしても、板ばねが下方の穴あるいは突起に契合するため、短時間にダウンライト本体を抜き取ることを防止することができる。                        
【図面の簡単な説明】
【００２４】
【図１】本発明の実施形態１に係るかご内照明装置に用いられるブラケットの斜視図である。
【図２】図１に示すブラケットに、ダウンライト本体を装着した状態を示す断面図である。
【図３】本発明の実施形態２に係るかご内照明装置に用いられるブラケットの斜視図である。
【図４】図３に示すブラケットに、ダウンライト本体を装着した状態を示す断面図である。
【図５】本発明の実施形態３に係るかご内照明装置に用いられるブラケットの斜視図である。
【図６】本発明の実施形態４に係るかご内照明装置に用いられるブラケットの斜視図である。
【図７】本発明の実施形態５に係るかご内照明装置に用いられるブラケットの斜視図である。
【図８】図７に示すブラケットに、ダウンライト本体を装着した状態を示す断面図である。
【図９】本発明の実施形態６に係るかご内照明装置に用いられるブラケットの斜視図である。
【図１０】本発明の実施形態７に係るかご内照明装置に用いられるブラケットの斜視図である。
【図１１】図１０に示すブラケットに設けた突起部分を拡大して示した部分断面図である。
【図１２】従来の一般的なエレベータかご内の概略構成を示した説明図で、同図（Ａ）は正面図、同図（Ｂ）は図（Ａ）の線Ａ−Ａに沿った断面図である。
【図１３】従来のダウンライトの本体を示した斜視図である。
【図１４】従来のダウンライトの本体がエレベータの天井に取り付けられた状態を示す部分断面図である。
【発明を実施するための形態】
【００２５】
以下、本発明の実施形態につき、図面を用いて詳細に説明する。
【００２６】
［実施形態１］
本発明による実施例１に係るかご内照明装置の実施形態を図１乃至図２について説明する。
【００２７】
図１は、本発明の実施形態１に係るかご内照明装置に用いられるブラケットの斜視図である。ブラケット１３は図２に示すダウンライト本体１８を差し込む空隙１４を有する台形状に形成されており、上面にはダウンライト本体１８の円筒部が挿入される挿入孔１５が空けられている。すなわち、ブラケット１３は、ダウンライト本体１８を、その左右両側に設けられた板ばね１９を介して挟持するとともに下端を水平に曲折することにより形成された水平部を有する一対の側板１３−１、１３−２と、これらの側板をそれらの上端において相互に連結し、前記本体が挿入される挿入孔１５が形成された上板１３−３から構成されている。
【００２８】
図２は、図１に示すブラケット１３に、ダウンライト本体１８を装着した状態を示す断面図である。ブラケット１３は、天井１６の上面に、その開口部１７を塞ぐ状態で、側板１３−１、１３−２の下端水平部１３−４、１３−５が接着剤などにより固定されている。
【００２９】
この場合、天井２の開口部１７の径Ｃは、ブラケット１３の空隙１４（図１）の径Ｄより大きく形成されており、ダウンライト本体１８は、開口部１７を介して、ブラケット１３の空隙１４（図１）に差し込まれる。
【００３０】
差し込まれたダウンライト本体１８は、その両側に取り付けた板ばね１９がブラケット１３の一対の側板１３−１、１３−２の内面に圧接され、挟持されることによって、天井１６に強固に固定される。
【００３１】
このように、ダウンライト本体１８は、その板ばね１９とともにブラケットの側板１３−１、１３−２によって挟持されるため、ダウンライト本体１８を強固に天井２の差込穴に固定することができる。また、ダウンライト本体の取り外しに際しては、ダウンライト本体に取り付けられた板ばねがブラケットの側板によって案内されるため、天井の開口部１７に引っ掛かることがなく容易に取り外すことができ、保守点検などの作業効率が向上する。板ばね１９はブラケット１３の内壁側面を圧接する状態で天井１６に固定されており、また、開口部１７の径が空隙１４（図１）の径Ｄより大きくなっているので、本体１８を天井１６から外すときでも、板ばね１９は天井１６の開口部１７の縁部に引っ掛かることはなく、容易に外すことができる。
【００３２】
［実施形態２］
本発明の実施形態２に係るかご内照明装置を図３乃至図４について説明する。なお、これらの図において、図１および図２と同一部分には同一符号を付して記し、重複する詳細な説明は省略し、主として相違する構成部分について説明する。また、図５乃至図１１についても同様とする。
【００３３】
図３は、本発明の実施形態２に係るかご内照明装置に用いられるブラケットの斜視図である。ブラケット１３Ａは、その左右両側面に穴２０が空けられている。ブラケット１３Ａのその他の構成は図１に示したブラケット１３と同一であるため、その詳細な構造の説明は省略する。
【００３４】
図４は、図３に示すブラケットに、ダウンライト本体を装着した状態を示す断面図である。図に示すように、天井１６に接着剤などで固定されたブラケット１３Ａに、ダウンライト本体１８が差し込み装着された状態を示している。このとき、板ばね１９がブラケット１３Ａの一対の側板１３−１、１３−２に形成された穴２０に嵌合しているため、ダウンライト本体１８がブラケット１３Ａを介して天井１６に、より強固に装着固定されている。したがって、ダウンライト本体１８をブラケット１３Ａから外そうとしても、短時間に外すことは困難である。
【００３５】
この場合も、実施形態１と同様に、ダウンライト本体１８を天井１６の開口部１７から外すときは、板ばね１９が天井１６の上側面上に引っ掛かることはないので、容易に外すことができる。
【００３６】
［実施形態３］
図５は、本発明の実施形態３に係るかご内照明装置に用いられるブラケットの斜視図である。このブラケット１３Ｂは、その左右両側面に、複数個の嵌合穴２１が空けられた構成になっている。ブラケット１３Ｂのその他の構成は図１に示したブラケット１３と同一であるため、その詳細な構造の説明は省略する。
【００３７】
このような構成において、ダウンライト本体１８が、ブラケット１３Ｂに、差し込み装着されると、板ばね１９が複数の嵌合穴２１のうち、上方に位置する嵌合穴２１−１に嵌合する。この状態で、ダウンライト本体１８を抜き抜こうとすると、板ばね１９は嵌合穴２１−１から外れた後、下方位置に存在する嵌合口２１−２に再び嵌合する。このためダウンライト本体１８をブラケット１３Ｂから抜き取るにはかなりの力を要し、容易に取り外すことはできない。したがって、エレベータの乗客がエレベータの移動中の短時間の間に、いたずらによりダウンライト本体１８を天井から取り外すことを防止することができる。
【００３８】
しかし、板ばね１９が天井１６の開口部１７の縁部に引っ掛かることはないので、保守点検の際の取り外しには支障は生じない。
【００３９】
［実施形態４］
図６は、本発明の実施形態４に係るかご内照明装置に用いられるブラケットの斜視図である。このブラケット１３Ｃは、その左右両側面に複数個、例えば３個の嵌合穴２２が空けられており、かつ、これらの３個の嵌合穴２２は、下方位置に行くに従い水平方向の長さが大きくなっている。
【００４０】
このように構成されたブラケット１３Ｃにおいて、ダウンライト本体１８が、ブラケット１３Ｃに、差し込み装着されると、板ばね１９が複数の嵌合穴２２のうち、上方に位置する嵌合穴２２−１に嵌合する。この状態で、乗客がいたずらにより、ダウンライト本体１８を中心軸の回りに回動しつつ抜き抜こうとすると、板ばね１９は嵌合穴２２−１から外れた後、中間位置に存在する嵌合口２２−２に再び嵌合する。そして乗客がダウンライト本体１８を更に回動しつつ下方に引き抜こうとすると、板ばね１９は嵌合穴２２−２から外れた後、最低位置に存在する嵌合穴２２−３に再三嵌合する。このためダウンライト本体１８をブラケット１３Ｂから抜き取るにはかなりの力と時間を要し、エレベータの移動中にダウンライト本体１８を天井から取り外すことは困難となる。
【００４１】
しかし、本実施形態においても、保守点検の際のダウンライト本体の取り外しには困難性はない。
【００４２】
［実施形態５］
図７は、本発明の実施形態５に係るかご内照明装置に用いられるブラケットの斜視図である。また、図８は、図７に示すブラケットに、ダウンライト本体を装着した状態を示す断面図である。図７に示すブラケット１３Ｄは、その左右両側板１３−１、１３−２の内面に、突起部材２３が、例えば、溶接により固着された構成になっている。ブラケット１３Ｂのその他の構成は図１に示したブラケット１３と同一であるため、その詳細な構造の説明は省略する。
【００４３】
このような構成のブラケット１３Ｄに対し、図８に示すように、ダウンライト本体１８が、差し込み装着されると、板ばね１９の曲げ部１９Ａが突起部材２３の上側に位置して係合し、本体１８がブラケット１３Ｄの左右両側板１３−１、１３−２に強固に挟持固定される。
【００４４】
したがって、本体１８を天井から引き抜こうとする場合、板ばね１９の曲げ部１９Ａがブラケット１３Ｄの突起部材２３に係合し、容易に抜き取ることができない。
【００４５】
［実施形態６］
図９は、本発明の実施形態６に係るかご内照明装置に用いられるブラケットの斜視図である。このブラケット１３Ｅは、上記した実施形態５に係る実施形態における、突起部材２３の代わりに、エンボス加工により形成された突起２４を有する構成になっている。
【００４６】
この実施形態の場合も、上記の各実施形態と同じく、乗客などのいたずらによる、ダウンライト本体１８のブラケット１３Ｅからの短時間内での取り外しは困難であるが、保守点検のための取り外しには困難さはない。
【００４７】
［実施形態７］
図１０は、本発明の実施形態７に係るかご内照明装置に用いられるブラケットの斜視図であり、図１１は図１０に示すブラケットに設けた突起部分を拡大して示した部分断面図である。
【００４８】
図１０において、ブラケット１３Ｆは、その左右両側板の内面に、複数の突起、例えば、３個の係合突起２５がエンボス加工により形成されており、かつ、図１１に示すように、係合突起２５の高さが、下方に行くに従い、高くなっている。
【００４９】
このように構成されたブラケット１３Ｅにおいて、ダウンライト本体１８が、ブラケット１３Ｅに、差し込み装着されると、板ばね１９が複数の係合突起２５のうち、上方に位置する係合突起２５−１に嵌合する。この状態で、乗客がいたずらにより、ダウンライト本体１８を下方に抜き抜こうとすると、板ばね１９は係合突起２５−１から外れた後、中間位置に存在するより高い係合突起２５−２に再び嵌合する。そして乗客がダウンライト本体１８を更に下方に引き抜こうとすると、板ばね１９は係合突起２５−２から外れた後、最低位置に存在するさらに高い係合突起２５−３に再三嵌合する。このためダウンライト本体１８をブラケット１３Ｂから抜き取るにはかなりの力と時間を要し、エレベータの移動中にダウンライト本体１８を天井から取り外すことは困難となる。
【００５０】
しかし、本実施形態においても、保守点検の際のダウンライト本体の取り外しには困難性はない。
【符号の説明】
【００５１】
１  かご
２，１６  天井
３  側板
４  床
５  リターンパネル
６  ドア
７  幕板
８  かご内操作盤
９  差込穴
１０，１８  本体
１１，１９  ばね
１２  フランジ
１３  ブラケット
１３Ａ〜１３Ｆ  ブラケット
１４  空隙
１５  貫通孔
１７  開口部
２０  穴
２１，２２  複数の穴
２３  突起部材
２４，２５  突起
【図１】
2011068430.tif 000003
【図２】
2011068430.tif 000004
【図３】
2011068430.tif 000005
【図４】
2011068430.tif 000006
【図５】
2011068430.tif 000007
【図６】
2011068430.tif 000008
【図７】
2011068430.tif 000009
【図８】
2011068430.tif 000010
【図９】
2011068430.tif 000011
【図１０】
2011068430.tif 000012
【図１１】
2011068430.tif 000013
【図１２】
2011068430.tif 000014
【図１３】
2011068430.tif 000015
【図１４】
2011068430.tif 000016